【手続補正書】
【提出日】平成18年1月25日(2006.1.25)
【手続補正１】
【補正対象書類名】明細書
【補正対象項目名】特許請求の範囲
【補正方法】変更
【補正の内容】
【特許請求の範囲】
【請求項１】  データ通信のための通信インタフェース手段を備えるとともに、待機時には、消費電力を低減する省エネ機能を備えた通信端末装置において、
上記通信インタフェース手段は、省エネ時には、回線監視のみを実行させることを特徴とする通信端末装置。
【請求項２】  データ通信のための通信インタフェース手段を備えるとともに、待機時には、消費電力を低減する省エネ機能を備えた通信端末装置において、
上記通信インタフェース手段は、
プロセッサと、上記プロセッサが実行するプログラムデータを格納するとともに上記プロセッサのワークエリアを構成するＲＡＭを少なくとも備えたモデムデジタル部と、
網制御装置に接続して所定の回線の状態を環視するための回線状態監視機能を少なくとも備えたモデムアナログ部から構成され、
省エネモード時には、上記モデムデジタル部に回線監視用プログラムのみを実行させるとともに、上記プロセッサの処理能力を、上記回線監視用プログラムを実行可能な程度に低減することを特徴とする通信端末装置。
【請求項３】  データ通信のための通信インタフェース手段を備えるとともに、待機時には、消費電力を低減する省エネ機能を備えた通信端末装置において、
上記通信インタフェース手段は、
プロセッサと、上記プロセッサが実行するプログラムデータを格納するプログラム用ＲＡＭと、上記プロセッサのワークエリアを構成するデータ用ＲＡＭと、所定のデータをやりとりするためのインターフェース回路からなるモデムデジタル部と、
網制御装置に接続して所定の回線制御を行う回線制御部と、回線の状態を環視するための回線状態監視部と、回線を介して受信したアナログ信号を対応するデジタル信号へ変換するためのアナログ／デジタル変換器と、回線へ送出するデジタル信号を対応するアナログ信号変換するデジタル／アナログ変換器と、上記アナログ／デジタル変換器が入力する受信アナログ信号を所定の波形整形をする受信フィルタ手段と、上記デジタル／アナログ変換器から出力される送信アナログ信号を所定の波形整形する送信フィルタ手段からなるモデムアナログ部から構成され、
省エネモード時には、上記モデムアナログ部の動作を、回線状態監視を実行可能な程度の機能に低減することを特徴とする通信端末装置。
【請求項４】  データ通信のための通信インタフェース手段を備えるとともに、待機時には、消費電力を低減する省エネ機能を備えた通信端末装置において、
上記通信インタフェース手段は、
プロセッサと、上記プロセッサが実行するプログラムデータを格納するプログラム用ＲＡＭと、上記プロセッサのワークエリアを構成するデータ用ＲＡＭと、所定のデータをやりとりするためのインターフェース回路からなるモデムデジタル部と、
網制御装置に接続して所定の回線制御を行う回線制御部と、回線の状態を環視するための回線状態監視部と、回線を介して受信したアナログ信号を対応するデジタル信号へ変換するためのアナログ／デジタル変換器と、回線へ送出するデジタル信号を対応するアナログ信号変換するデジタル／アナログ変換器と、上記アナログ／デジタル変換器が入力する受信アナログ信号を所定の波形整形をする受信フィルタ手段と、上記デジタル／アナログ変換器から出力される送信アナログ信号を所定の波形整形する送信フィルタ手段からなるモデムアナログ部から構成され、
省エネモード時には、上記モデムデジタル部に回線監視用プログラムのみを実行させるとともに、上記プロセッサの処理能力を、上記回線監視用プログラムを実行可能な程度に低減し、さらに、上記モデムアナログ部の動作を、回線状態監視を実行可能な程度の機能に低減することを特徴とする通信端末装置。
【請求項５】  データ通信のための通信インタフェース手段を備えるとともに、待機時には、消費電力を低減する省エネ機能を備えた通信端末装置において、
上記通信インタフェース手段は、
プロセッサと、上記プロセッサが実行するプログラムデータを格納するプログラム用ＲＡＭと、上記プロセッサのワークエリアを構成するデータ用ＲＡＭと、所定のデータをやりとりするためのインターフェース回路からなるモデムデジタル部と、
網制御装置に接続して所定の回線制御を行う回線制御部と、回線の状態を環視するための回線状態監視部と、回線を介して受信したアナログ信号を対応するデジタル信号へ変換するためのアナログ／デジタル変換器と、回線へ送出するデジタル信号を対応するアナログ信号変換するデジタル／アナログ変換器と、上記アナログ／デジタル変換器が入力する受信アナログ信号を所定の波形整形をする受信フィルタ手段と、上記デジタル／アナログ変換器から出力される送信アナログ信号を所定の波形整形する送信フィルタ手段からなるモデムアナログ部から構成され、
通常電力モード時には、上記モデムデジタル部にモデム変復調用プログラムを実行させるとともに、上記プロセッサの処理能力を上記モデム変復調用プログラムを実行可能な程度に設定する一方、
省エネモード時には、上記モデムデジタル部に回線監視用プログラムのみを実行させるとともに、上記プロセッサの処理能力を上記回線監視用プログラムを実行可能な程度に低減し、さらに、上記モデムアナログ部の動作を、回線状態監視を実行可能な程度の機能に低減することを特徴とする通信端末装置。
【手続補正２】
【補正対象書類名】明細書
【補正対象項目名】０００８
【補正方法】変更
【補正の内容】
【０００８】
【課題を解決するための手段】
本発明は、データ通信のための通信インタフェース手段を備えるとともに、待機時には、消費電力を低減する省エネ機能を備えた通信端末装置において、上記通信インタフェース手段は、省エネ時には、回線監視のみを実行させるようにしたものである。
また、データ通信のための通信インタフェース手段を備えるとともに、待機時には、消費電力を低減する省エネ機能を備えた通信端末装置において、上記通信インタフェース手段は、プロセッサと、上記プロセッサが実行するプログラムデータを格納するとともに上記プロセッサのワークエリアを構成するＲＡＭを少なくとも備えたモデムデジタル部と、網制御装置に接続して所定の回線の状態を環視するための回線状態監視機能を少なくとも備えたモデムアナログ部から構成され、省エネモード時には、上記モデムデジタル部に回線監視用プログラムのみを実行させるとともに、上記プロセッサの処理能力を、上記回線監視用プログラムを実行可能な程度に低減するようにしたものである。
【手続補正３】
【補正対象書類名】明細書
【補正対象項目名】０００９
【補正方法】変更
【補正の内容】
【０００９】
また、データ通信のための通信インタフェース手段を備えるとともに、待機時には、消費電力を低減する省エネ機能を備えた通信端末装置において、上記通信インタフェース手段は、プロセッサと、上記プロセッサが実行するプログラムデータを格納するプログラム用ＲＡＭと、上記プロセッサのワークエリアを構成するデータ用ＲＡＭと、所定のデータをやりとりするためのインターフェース回路からなるモデムデジタル部と、網制御装置に接続して所定の回線制御を行う回線制御部と、回線の状態を環視するための回線状態監視部と、回線を介して受信したアナログ信号を対応するデジタル信号へ変換するためのアナログ／デジタル変換器と、回線へ送出するデジタル信号を対応するアナログ信号変換するデジタル／アナログ変換器と、上記アナログ／デジタル変換器が入力する受信アナログ信号を所定の波形整形をする受信フィルタ手段と、上記デジタル／アナログ変換器から出力される送信アナログ信号を所定の波形整形する送信フィルタ手段からなるモデムアナログ部から構成され、省エネモード時には、上記モデムアナログ部の動作を、回線状態監視を実行可能な程度の機能に低減するようにしたものである。
【手続補正４】
【補正対象書類名】明細書
【補正対象項目名】００１０
【補正方法】変更
【補正の内容】
【００１０】
また、データ通信のための通信インタフェース手段を備えるとともに、待機時には、消費電力を低減する省エネ機能を備えた通信端末装置において、上記通信インタフェース手段は、プロセッサと、上記プロセッサが実行するプログラムデータを格納するプログラム用ＲＡＭと、上記プロセッサのワークエリアを構成するデータ用ＲＡＭと、所定のデータをやりとりするためのインターフェース回路からなるモデムデジタル部と、網制御装置に接続して所定の回線制御を行う回線制御部と、回線の状態を環視するための回線状態監視部と、回線を介して受信したアナログ信号を対応するデジタル信号へ変換するためのアナログ／デジタル変換器と、回線へ送出するデジタル信号を対応するアナログ信号変換するデジタル／アナログ変換器と、上記アナログ／デジタル変換器が入力する受信アナログ信号を所定の波形整形をする受信フィルタ手段と、上記デジタル／アナログ変換器から出力される送信アナログ信号を所定の波形整形する送信フィルタ手段からなるモデムアナログ部から構成され、省エネモード時には、上記モデムデジタル部に回線監視用プログラムのみを実行させるとともに、上記プロセッサの処理能力を、上記回線監視用プログラムを実行可能な程度に低減し、さらに、上記モデムアナログ部の動作を、回線状態監視を実行可能な程度の機能に低減するようにしたものである。
【手続補正５】
【補正対象書類名】明細書
【補正対象項目名】００１１
【補正方法】変更
【補正の内容】
【００１１】
また、データ通信のための通信インタフェース手段を備えるとともに、待機時には、消費電力を低減する省エネ機能を備えた通信端末装置において、上記通信インタフェース手段は、プロセッサと、上記プロセッサが実行するプログラムデータを格納するプログラム用ＲＡＭと、上記プロセッサのワークエリアを構成するデータ用ＲＡＭと、所定のデータをやりとりするためのインターフェース回路からなるモデムデジタル部と、網制御装置に接続して所定の回線制御を行う回線制御部と、回線の状態を環視するための回線状態監視部と、回線を介して受信したアナログ信号を対応するデジタル信号へ変換するためのアナログ／デジタル変換器と、回線へ送出するデジタル信号を対応するアナログ信号変換するデジタル／アナログ変換器と、上記アナログ／デジタル変換器が入力する受信アナログ信号を所定の波形整形をする受信フィルタ手段と、上記デジタル／アナログ変換器から出力される送信アナログ信号を所定の波形整形する送信フィルタ手段からなるモデムアナログ部から構成され、通常電力モード時には、上記モデムデジタル部にモデム変復調用プログラムを実行させるとともに、上記プロセッサの処理能力を上記モデム変復調用プログラムを実行可能な程度に設定する一方、省エネモード時には、上記モデムデジタル部に回線監視用プログラムのみを実行させるとともに、上記プロセッサの処理能力を上記回線監視用プログラムを実行可能な程度に低減し、さらに、上記モデムアナログ部の動作を、回線状態監視を実行可能な程度の機能に低減するようにしたものである。